(57)【特許請求の範囲】
【請求項１】
記録媒体に記録されている画像信号を再生する再生手段と、
前記画像信号に対して設定されたIN点からOUT点までの範囲であるプログラムを表すマークを複数並べて表示させ、前記再生手段による前記画像信号の再生が一時停止され、IN点の設定を促す第１のメッセージが表示されている状態でIN点が設定されたとき、範囲の設定対象になっているプログラムを表す１つのマークのうちの一部分を、範囲の設定が行われていないプログラムを表すマークの色と異なる所定の色で表示させ、IN点が設定されてから所定の時間が経過した後に前記再生手段による前記画像信号の再生が一時停止され、前記第１のメッセージに替えてOUT点の設定を促す第２のメッセージが表示されている状態でOUT点が設定されたとき、範囲の設定対象になっているプログラムを表す前記１つのマークのうちの他の一部分を前記所定の色で表示させる表示制御手段と
を備える情報再生装置。
【請求項２】
前記表示制御手段は、記憶手段に記憶可能な前記プログラムの数に対応する数の前記マークが表示されるように、その表示を制御する
請求項１に記載の情報再生装置。
【請求項３】
記録媒体に記録された画像信号を再生する再生ステップと、
前記画像信号に対して設定されたIN点からOUT点までの範囲であるプログラムを表すマークを複数並べて表示させ、前記再生ステップの処理による前記画像信号の再生が一時停止され、IN点の設定を促す第１のメッセージが表示されている状態でIN点が設定されたとき、範囲の設定対象になっているプログラムを表す１つのマークのうちの一部分を、範囲の設定が行われていないプログラムを表すマークの色と異なる所定の色で表示させ、IN点が設定されてから所定の時間が経過した後に前記再生ステップの処理による前記画像信号の再生が一時停止され、前記第１のメッセージに替えてOUT点の設定を促す第２のメッセージが表示されている状態でOUT点が設定されたとき、範囲の設定対象になっているプログラムを表す前記１つのマークのうちの他の一部分を前記所定の色で表示させる表示制御ステップと
を含む画像表示制御方法。
【請求項４】
記録媒体に記録された画像信号を再生する再生ステップと、
前記画像信号に対して設定されたIN点からOUT点までの範囲であるプログラムを表すマークを複数並べて表示させ、前記再生ステップの処理による前記画像信号の再生が一時停止され、IN点の設定を促す第１のメッセージが表示されている状態でIN点が設定されたとき、範囲の設定対象になっているプログラムを表す１つのマークのうちの一部分を、範囲の設定が行われていないプログラムを表すマークの色と異なる所定の色で表示させ、IN点が設定されてから所定の時間が経過した後に前記再生ステップの処理による前記画像信号の再生が一時停止され、前記第１のメッセージに替えてOUT点の設定を促す第２のメッセージが表示されている状態でOUT点が設定されたとき、範囲の設定対象になっているプログラムを表す前記１つのマークのうちの他の一部分を前記所定の色で表示させる表示制御ステップと
を含むコンピュータが読み取り可能なプログラムが記録されている記録媒体。
【発明の詳細な説明】
【０００１】
【発明の属する技術分野】
本発明は、情報再生装置および画像表示制御方法、並びに記録媒体に関し、特に、編集に使用される映像データの始点（IN点）および終点（OUT点）をマーク表示させることにより、容易に、映像データの編集作業を行うことができるようにした情報再生装置および画像表示制御方法、並びに記録媒体に関する。
【０００２】
【従来の技術】
近年、パーソナルコンピュータやデジタルビデオカメラなどのデジタル機器が普及しつつある。それに伴って、デジタルビデオカメラで撮影した画像データを、そのまま、DVTR（デジタルビデオテープレコーダ）に装着されているデジタルビデオテープに記録させたり、デジタルビデオテープに記録された画像データをユーザ好みに編集して、さらに別の記録媒体に記録させることが、手軽にできるようになってきた。
【０００３】
【発明が解決しようとする課題】
しかしながら、そのようなDVTRにおいては、ユーザが、画面に表示されている映像（画像）を見ながら、編集作業を行うのにも拘らず、インデックス情報（日、時、分、秒、およびフレームなどのタイムスタンプなど）や、編集作業を促すための設定情報を画面一杯に表示させていた。
【０００４】
そのため、画面一杯に表示されたインデックス情報や設定情報により、映像が見難くなり、結果的に、編集作業の妨げになる課題があった。
【０００５】
本発明はこのような状況に鑑みてなされたものであり、編集に使用される映像データのIN点およびOUT点をマーク表示させることにより、容易に、映像データの編集作業を行うことができるようにするものである。
【０００６】
【課題を解決するための手段】
本発明の情報再生装置は、記録媒体に記録されている画像信号を再生する再生手段と、前記画像信号に対して設定されたIN点からOUT点までの範囲であるプログラムを表すマークを複数並べて表示させ、前記再生手段による前記画像信号の再生が一時停止され、IN点の設定を促す第１のメッセージが表示されている状態でIN点が設定されたとき、範囲の設定対象になっているプログラムを表す１つのマークのうちの一部分を、範囲の設定が行われていないプログラムを表すマークの色と異なる所定の色で表示させ、IN点が設定されてから所定の時間が経過した後に前記再生手段による前記画像信号の再生が一時停止され、前記第１のメッセージに替えてOUT点の設定を促す第２のメッセージが表示されている状態でOUT点が設定されたとき、範囲の設定対象になっているプログラムを表す前記１つのマークのうちの他の一部分を前記所定の色で表示させる表示制御手段とを備える。
【０００７】
表示制御手段は、記憶手段に記憶可能なプログラムの数に対応する数のマークが表示されるように、その表示を制御するようにすることができる。
【００１０】
本発明の画像表示制御方法は、記録媒体に記録された画像信号を再生する再生ステップと、前記画像信号に対して設定されたIN点からOUT点までの範囲であるプログラムを表すマークを複数並べて表示させ、前記再生ステップの処理による前記画像信号の再生が一時停止され、IN点の設定を促す第１のメッセージが表示されている状態でIN点が設定されたとき、範囲の設定対象になっているプログラムを表す１つのマークのうちの一部分を、範囲の設定が行われていないプログラムを表すマークの色と異なる所定の色で表示させ、IN点が設定されてから所定の時間が経過した後に前記再生ステップの処理による前記画像信号の再生が一時停止され、前記第１のメッセージに替えてOUT点の設定を促す第２のメッセージが表示されている状態でOUT点が設定されたとき、範囲の設定対象になっているプログラムを表す前記１つのマークのうちの他の一部分を前記所定の色で表示させる表示制御ステップとを含む。
【００１１】
本発明の記録媒体に記録されているプログラムは、記録媒体に記録された画像信号を再生する再生ステップと、前記画像信号に対して設定されたIN点からOUT点までの範囲であるプログラムを表すマークを複数並べて表示させ、前記再生ステップの処理による前記画像信号の再生が一時停止され、IN点の設定を促す第１のメッセージが表示されている状態でIN点が設定されたとき、範囲の設定対象になっているプログラムを表す１つのマークのうちの一部分を、範囲の設定が行われていないプログラムを表すマークの色と異なる所定の色で表示させ、IN点が設定されてから所定の時間が経過した後に前記再生ステップの処理による前記画像信号の再生が一時停止され、前記第１のメッセージに替えてOUT点の設定を促す第２のメッセージが表示されている状態でOUT点が設定されたとき、範囲の設定対象になっているプログラムを表す前記１つのマークのうちの他の一部分を前記所定の色で表示させる表示制御ステップとを含む。
【００１２】
本発明の情報再生装置、画像表示制御方法、並びに記録媒体に記録されているプログラムにおいては、記録媒体に記録された画像信号が再生され、前記画像信号に対して設定されたIN点からOUT点までの範囲であるプログラムを表すマークが複数並べて表示され、前記画像信号の再生が一時停止され、IN点の設定を促す第１のメッセージが表示されている状態でIN点が設定されたとき、範囲の設定対象になっているプログラムを表す１つのマークのうちの一部分が、範囲の設定が行われていないプログラムを表すマークの色と異なる所定の色で表示され、IN点が設定されてから所定の時間が経過した後に前記画像信号の再生が一時停止され、前記第１のメッセージに替えてOUT点の設定を促す第２のメッセージが表示されている状態でOUT点が設定されたとき、範囲の設定対象になっているプログラムを表す前記１つのマークのうちの他の一部分が前記所定の色で表示される。
【００１３】
【発明の実施の形態】
図１は、本発明を適用したカメラ一体型のDVTRの構成例を示すブロック図である。入力部１は、キーボード、マウス、ボタン、スイッチ等より構成され、ユーザにより操作されると、その操作に対応するキー信号がマイクロプロセッサ２に入力される。
【００１４】
マイクロプロセッサ２は、入力部１より入力されたキー信号に対応して、コントロール信号を生成し、各部をそれぞれ制御する。マイクロプロセッサ２はまた、入力部１より入力されたキー信号に対応して、プログラム情報である、編集に使用される映像データのIN点およびOUT点をバッファに記憶したり、バッファに記憶されたプログラム情報のIN点およびOUT点を読み出したりする。
【００１５】
マイクロプロセッサ２は、さらに、バッファより読み出したプログラム情報に基づいて、D-VHS１８を制御するためのコマンドを発行し、内蔵する出力スイッチを切り換えて、対応する信号処理回路４あるいはIR（Infrared Radiation）コマンダ５に出力する。なお、マイクロプロセッサ２には、ドライブ３が接続されており、磁気ディスク１０１、光ディスク１０２、光磁気ディスク１０３、または半導体メモリ１０４などが装着されるようになされている。
【００１６】
信号処理回路４は、マイクロプロセッサ２より供給される、D-VHS１８を制御するためのAV/C（Audio Video/Control）コマンドをパケット化し、IEEE（The Institute of Electrical and Electronics Engineers）1394インタフェース（I/F）１６、IEEE1394シリアルバス１７を介して、D-VHS（Digital-Video Home System）（商標）１８にパケットデータを送信する。
【００１７】
IRコマンダ５は、例えば、SIRCS（Standard Code for Infrared Remote Control System）とされ、マイクロプロセッサ２から供給される、D-VHS１８を制御するためのリモコンコマンドに基づいて、図示せぬ赤外線発光部から対応する赤外線信号（IR信号）をD-VHS１８の図示せぬ受光部に向けて出力する。
【００１８】
オンスクリーンディスプレイ回路６は、マイクロプロセッサ２より供給されるコントロール信号に基づいて、テキスト情報を対応する画像データに変換し、スイッチ１３の端子ｂ、または、ライン出力端子１５に供給する。
【００１９】
ビデオカメラ７は、フォーカスモータ２１、ディスプレイ２２、イメージャ２３で構成されている。フォーカスモータ２１は、マイクロプロセッサ２より供給されるコントロール信号に基づいて、ディスプレイ２２に表示されている画像をイメージャ２３により撮影させるように駆動する。イメージャ２３は、例えば、レンズ系およびCCD（Charge Coupled Device）等からなり、撮像されたイメージャ信号（撮像信号）をカメラ信号処理回路８に供給する。
【００２０】
カメラ信号処理回路８は、マイクロプロセッサ２より供給されるコントロール信号に基づいて、イメージャ２３より供給されたイメージャ信号に対して、A/D（Analog to Digital）変換処理等を施し、映像（画像）データを生成し、記録回路９に供給する。
【００２１】
記録回路９は、マイクロプロセッサ２より供給されるコントロール信号に基づいて、カメラ信号処理回路８から供給される映像データに対して、所定の方式（例えば、MPEG（Moving Picture Experts Group）方式）を用いて、圧縮符号化し、さらにエラー訂正処理、および変調処理等の記録信号処理を施し、記録媒体１０に記録する。記録媒体１０は、例えば、デジタルビデオテープである。
【００２２】
再生回路１１は、記録媒体１０に記録されている映像データを読み出し、復調処理、エラー訂正処理、復号処理、およびD/A変換処理等の所定の再生信号処理を施し、映像信号を生成して、スイッチ１２の端子ｂ、スイッチ１３の端子ａを介してファインダLCD（Liquid Crystal Digital）パネル１４に出力する。
【００２３】
スイッチ１２は、マイクロプロセッサ２より供給されるコントロール信号に基づいて、カメラ信号処理回路８からの映像データをスイッチ１３を介してファインダLCDパネル１４に出力するとき、端子ａを選択するように切り替えられ、再生回路１１からの映像データをスイッチ１３を介してファインダLCDパネル１４にするとき、端子ｂを選択するように切り替えられる。
【００２４】
スイッチ１３は、マイクロプロセッサ２により制御されているオンスクリーンディスプレイ回路６からの指令に基づいて、映像データをファインダLCDパネル１４に出力するとき、端子ａを選択するように切り換えられ、オンスクリーンディスプレイ回路６からのテキスト情報に対応する画像データをファインダLCDパネル１４に出力するとき、端子ｂを選択するように切り換えられる。
【００２５】
ファインダLCDパネル１４は、スイッチ１２およびスイッチ１３を介して入力される映像データを再生したり、また、オンスクリーンディスプレイ回路６およびスイッチ１３を介して入力される、テキスト情報等に対応する画像データを再生する。また、オンスクリーンディスプレイ回路６より出力される、フレームカウンタに関する情報は、ライン出力端子１５を介してD-VHS１８へ出力される。
【００２６】
D-VHS１８は、図示せぬAVケーブルまたはIEEE1394シリアルバス１７を介してDVTRと接続されており、DVTRから出力されるコマンドに基づいて、そこに装着されているD-VHSテープへ映像データを記録する（その具体例は、後述する）。D-VHS１８はまた、DVTRより入力される、フレームカウンタをD-VHSテープに記録する。
【００２７】
次に、図１に示されたDVTRの基本的な動作について説明する。
【００２８】
記録時、ビデオカメラ７のイメージャ２３は、ディスプレイ２２により表示されている画像を撮像し、カメラ信号処理回路８に供給する。カメラ信号処理回路８は、デジタルビデオカメラ７より供給されたイメージャ信号に対して、A/D変換処理等を施し、映像データを記録回路９に供給する。記録回路９は、カメラ信号処理回路８からの映像データに対して、所定の記録信号処理を施し、記録媒体１０に記録する。このとき、編集作業（エディット処理）を行うことが可能な映像データであると認識できるように、映像データにエディットモードが設定される（映像データの先頭部にPICT_INDE_EDITが付加される）。
【００２９】
再生時、再生回路１１は、記録媒体１０に記録されている（エディットモードが設定された）映像データを読み出し、所定の再生信号処理（復調処理、エラー訂正処理、復号処理、およびD/A変換処理等）を施し、スイッチ１２の端子ｂ、およびスイッチ１３の端子ａを介してファインダLCDパネル１４に出力し、映像を再生させる。
【００３０】
ファインダLCDパネル１４に再生されている映像を参照したユーザが、エディット処理に使用するプログラム情報（映像データのIN点とOUT点）を設定する。これにより、マイクロプロセッサ２は、ユーザからの指令（プログラム情報の設定）に基づいて、そのプログラム情報をバッファに記憶させる。そして、ユーザによりエディット処理が開始されると、マイクロプロセッサ２は、バッファに記憶されているプログラム情報に基づいて、編集された映像データを、AVケーブルを介してD-VHS１８に装着されている図示せぬD-VHSテープに記録させる。
【００３１】
次に、図２乃至図５のプログラムエディット画面を参照して、編集に使用する映像データのプログラム情報（IN点およびOUT点）を設定する処理について以下に説明する。なお、記録媒体１０には、１分４０秒５フレーム（以下、簡単のため、0:01:40:05と記載する）のエディットモードが設定された映像データが記録されており、ユーザにより、その映像データの再生が指示されると、記録媒体１０から映像データが読み出され、再生回路１１、スイッチ１２の端子ｂ、スイッチ１３の端子ａを介して、ファインダLCDパネル１４に出力、再生される。
【００３２】
図２の例においては、記録媒体１０に記録されている映像データが再生された直後のプログラムエディット画面を説明する図である。この例においては、ユーザにより、未だ、プログラム情報が設定されていないため、編集モード表示エリア３１の編集モードの「マーク」は選択可能とされるが、「マークとりけし」、「全消去」、および「スタート」は選択できないように無効表示とされる。いまの場合、カーソル３２は「マーク」にのみ位置合わせができるようになっている。
【００３３】
マーク３３は、一度に設定可能なプログラムに対応する数のマーク（例えば、２０個のマーク）で構成されており、白色で表示されている。ユーザにより、プログラム情報が設定されると、対応するマークが青色で表示される。例えば、プログラム１のIN点が設定されると、マーク３３−１ａが青色で表示され、プログラム１のOUT点が設定されると、マーク３３−１ｂが青色で表示される。図２の例の場合、未だ、プログラム情報が設定されていないため、白色で表示されている。
【００３４】
また、図２に示されるプログラムエディット画面には、プログラム（いまの場合、０）の総時間（トータル）が表示され（いまの場合、0:00:00:00）、さらに、「１  ここから」が表示されることにより、ユーザに対して、プログラム１のIN点の設定が促されている。
【００３５】
ユーザは、ファインダLCDパネル１４に再生されている映像（図２）を参照し、所定の位置において、編集に使用したい映像データのIN点を決定する。例えば、図３に示されるように、0:00:46:20の時刻からの映像データを編集に使用したいとき、ユーザにより入力部１のボタンが操作され（押圧され）、プログラム１のIN点が決定（設定）される。マイクロプロセッサ２は、ユーザからの指令（マークコマンド）に基づいて、プログラム１のIN点をバッファに記憶させるとともに、ファインダLCDパネル１４に、新たなプログラムエディット画面を表示させる。これにより、例えば、図４に示すようなプログラムエディット画面が表示される。
【００３６】
図４の例においては、ユーザによりプログラム（いまの場合、プログラム１）のIN点が設定されたため、２０個のマーク３３のうちの、マーク３３−１ａが青色で表示されるとともに、編集モード表示エリア３１の編集モードの、「スタート」以外の編集モードはすべて選択可能とされる。また、プログラムのトータルである0:00:04:11（ユーザにより設定されたIN点から経過した時間）が表示され、さらに、「１  ここまで」が表示されることにより、ユーザに対して、プログラム１のOUT点の設定が促される。
【００３７】
なお、編集モード表示エリア３１の編集モードにおいて、ユーザにより入力部１が用いられ、カーソル３２を「マークとりけし」、または、「全消去」の位置に合わせて、実行コマンドが入力されると、図２に示されたプログラムエディット画面に戻ることができる。
【００３８】
ユーザは、さらに、ファインダLCDパネル１４に再生されている映像（図４）を参照し、所定の位置において、編集に使用したい映像データのOUT点を決定する。例えば、図４に示されるように、0:00:51:01の時刻までの映像データを編集に使用したいとき、ユーザにより入力部１のボタンが操作され、プログラム１のOUT点が決定される。マイクロプロセッサ２は、ユーザからの指令（マークコマンド）に基づいて、プログラム１のOUT点をバッファに記憶させるとともに、ファインダLCDパネル１４に、新たなプログラムエディット画面を表示させる。これにより、例えば、図５に示すようなプログラムエディット画面が表示される。
【００３９】
図５の例においては、ユーザによりプログラム（いまの場合、プログラム１）のOUT点が設定されたため、２０個のマーク３３のうちの、マーク３３−１ｂが青色で表示される。なお、マーク３３−１ａは、既に青色表示されている。
【００４０】
以上の処理により、プログラム１のIN点とOUT点が設定されると、編集モード表示エリア３１の編集モードのいままで選択することができなかった、「スタート」が選択可能とされ、エディット処理を実行させることができる。例えば、図５において、編集モード表示エリア３１の編集モードにおいて、ユーザにより入力部１が用いられ、カーソル３２を「スタート」に合わせて、実行コマンドが入力されると、マイクロプロセッサ２のバッファに記憶されたプログラム情報（プログラム１のIN点（マーク３３−１ａ）、およびOUT点（マーク３３−１ｂ））に基づいて、エディット処理が開始される。
【００４１】
なお、プログラム１のOUT点が決定されると、図５に示されるように、「２  ここから」が表示され、ユーザに対して、プログラム２のIN点の設定が促される。これにより、ユーザは、プログラム２以降のプログラム情報の設定を行うことができる。そして、全てのプログラム情報の設定が終了された場合、ユーザは、カーソル３２を編集モード表示エリア３１の「スタート」に合わせ、実行コマンドを入力して、エディット処理を開始させることができる。
【００４２】
次に、図６乃至図８のプログラムエディット画面を参照して、上述した処理により設定されたプログラム情報に基づいて行われるエディット処理について以下に説明する。なお、マイクロプロセッサ２のバッファには、既にプログラム情報（プログラム１乃至プログラム５）が設定、記憶されている。図示しないが、マーク３３−１ａ乃至３３−５ａ、およびマーク３３−１ｂ乃至３３−５ｂが青色表示されている。また、D-VHS１８には、D-VHSテープが装着され、記録一時停止（Recording Pause）で待機している。
【００４３】
図６の例においては、ユーザにより入力部１が用いられ、編集モード表示エリア３１の「スタート」にカーソル３２を合わせ、実行コマンドが入力された直後のプログラムエディット画面である。すなわち、上述したように、プログラム情報が設定されると、設定済みのマーク３３−１ａ乃至３３−５ａ、およびマーク３３−１ｂ乃至３３−５ｂが青色表示される。そして、ユーザによりエディット処理が実行されると、マイクロプロセッサ２は、ユーザからの指令に基づいて、ファインダLCDパネル１４に、新たなプログラムエディット画面を表示させる（青色表示されていたマーク３３−１ａ乃至３３−５ａ、およびマーク３３−１ｂ乃至３３−５ｂが、白色表示に変わる）。
【００４４】
マイクロプロセッサ２はまた、エディット処理が開始されると、再生回路１１を制御し、記録媒体１０に記録されている映像データを読み出させ、AVケーブルを介してD-VHS１８に出力させる。
【００４５】
マイクロプロセッサ２は、バッファより読み出したプログラム情報に基づいて、ユーザにより設定されたプログラム１のIN点（いまの場合、00:00:46:20の時刻）が到来すると、IRコマンダ５に対して、D-VHS１８の記録一時停止を解除させるリモコンコマンドを発行し、IRコマンダ５の図示せぬ赤外線発光部からIR信号が出力される。D-VHS１８は、IRコマンダ５からの指令（記録一時停止を解除するコマンド）を受け取り、装着されているD-VHSテープに、DVTRよにAVケーブルを介して供給されている映像データの記録を開始させる。
【００４６】
マイクロプロセッサ２はまた、ユーザからの指令に基づいて、ファインダLCDパネル１４に、新たなプログラムエディット画面を表示させる。これにより、例えば、図７に示すようなプログラムエディット画面が表示される。
【００４７】
図７の例は、プログラム１の記録中に表示されるプログラムエディット画面を示す図である。この例の場合、プログラム１の記録が行われていることを示すため、マーク３３−１ａが白色表示から青色表示に変わる。
【００４８】
そして、マイクロプロセッサ２は、バッファより読み出したプログラム情報に基づいて、ユーザにより設定されたプログラム１のOUT点（いまの場合、00:00:51:01の時刻）が到来すると、IRコマンダ５に対して、D-VHS１８の記録一時停止を解除させるリモコンコマンドを発行し、IRコマンダ５の図示せぬ赤外線発光部からIR信号が出力される。D-VHS１８は、IRコマンダ５からの指令（記録を一時停止させるコマンド）を受け取り、D-VHSテープに記録していた映像データの記録を一時停止させる。
【００４９】
マイクロプロセッサ２はまた、ユーザからの指令に基づいて、ファインダLCDパネル１４に、新たなプログラムエディット画面を表示させる。これにより、例えば、図８に示すようなプログラムエディット画面が表示される。
【００５０】
図８の例は、プログラム１の記録が終了した後に表示されるプログラムエディット画面を示す図である。この例の場合、プログラム１の記録が終了したことを示すため、マーク３３−１ｂが白色表示から青色表示に変わる。
【００５１】
そして、マイクロプロセッサ２は、バッファより読み出したプログラム情報に基づいて、ユーザにより設定されたプログラム２のIN点が到来すると、D-VHS１８に対して、記録一時停止を解除させるコマンドを送り、D-VHSテープに、再び映像データを記録させる。そして、プログラム２のOUT点が到来すると、D-VHS１８に対して、記録を一時停止させるコマンドを送り、D-VHSテープへの記録を一時停止させる。同様に、プログラム３乃至５においても、上述したようなエディット処理が繰り返される。
【００５２】
ところで、D-VHS１８は、DVTRからのコマンドを受け取ったとき、記録一時停止を解除したり、あるいは、映像データの記録を一時停止する。しかしながら、例えば、記録一時停止を解除するコマンドが受け取られてから、実際に記録が開始されるまでの時間には、ずれが生じる。
【００５３】
すなわち、図９に示すように、DVTRは、バッファより読み出したプログラムのIN点（図９の例では、0:00:46:20の時刻）が到来したとき、D-VHS１８に記録一時停止を解除させるコマンドを送る。D-VHS１８は、DVTRからのコマンドを受け取ってから、記録一時停止を解除し、装着されているD-VHSテープに映像データを記録させる。しかしながら、実際には、ユーザが設定したIN点より遅れて（図９の例の場合、３フレーム分遅れて）、記録が開始される（すなわち、0:00:46:23の時刻から記録が開始される）。同様に、OUT点（0:00:51:02の時刻）が到来したとき、DVTRからD-VHS１８に記録を一時停止させるコマンドが送られるが、実際には、３フレーム分遅れて記録が一時停止される（すなわち、0:00:51:05の時刻まで記録された後、一時停止される）。
【００５４】
そこで、エディット処理を始める前に、オンスクリーンディスプレイ回路６より出力される、フレームカウンタに関する情報を、ライン出力端子１５を介してD-VHS１８に出力し、そこに記録させる。その後、ユーザは、無効なデータを用いて、D-VHSテープにダミー編集を行い、設定したIN点のフレームカウンタと、実際にD-VHSテープに記録されたフレームカウンタのずれ（遅れ）をモニタに表示させ、確認する。そして、ユーザは、モニタに表示されたフレームカウンタのオフレットを算出し（いまの場合、３フレーム）、マイクロプロセッサ２に記憶させる。これにより、DVTRは、D-VHS１８に対して、ユーザが設定したIN点の３フレーム前が到来したとき、記録一時停止を解除させるコマンドを送り、ユーザが設定したOUT点の３フレーム前が到来したとき、記録を一時停止させるコマンドを送ることができる。
【００５５】
次に、図１０のフローチャートを参照して、マイクロプロセッサ２が実行するプログラム情報設定処理およびエディット処理について説明する。なお、この処理においては、ユーザにより入力部１が用いられ、プログラム情報設定処理またはエディット編集を開始させるためのコマンドが入力されることにより処理が開始される。
【００５６】
ステップＳ１において、マイクロプロセッサ２は、ユーザからの指令に基づいて、再生回路１１を制御し、記録媒体１０に記録されている映像データを読み出させる。そして、マイクロプロセッサ２は、読み出された映像データにエディットモードが設定されているのか否か、すなわち、読み出された映像データの先頭部に、PICT_INDE_EDITが記録されているのか否かを判定し、映像データにエディットモードが設定されていないと判定した場合、処理は終了される。
【００５７】
ステップＳ１において、映像データにエディットモードが設定されていると判定した場合、ステップＳ２に進み、マイクロプロセッサ２は、プログラム設定モードであるのか否かを判定し、プログラム設定モードであると判定した場合、ステップＳ３に進み、マイクロプロセッサ２は、映像データをファインダLCDパネル１４に出力し、図２に示されるようなプログラムエディット画面を表示させる。このとき、設定可能なプログラムに対応する数のマーク３３を白色で表示させる。
【００５８】
ステップＳ４において、マイクロプロセッサ２は、ユーザによるプログラム情報の設定が終了したのか否か、すなわち、ユーザにより入力部１が用いられ、プログラム情報を終了させるコマンドが入力されたのか否かを判定し、プログラム情報の設定が終了したと判定した場合、処理は終了される。また、ステップＳ４において、プログラム情報の設定が終了していないと判定された場合、ステップＳ５に進む。
【００５９】
ステップＳ５において、マイクロプロセッサ２は、マークコマンドが入力されたのか否か、すなわち、ユーザにより入力部１が用いられ、プログラムのIN点またはOUT点が設定されたのか否かを判定し、マークコマンドが入力されていないと判定した場合、ステップＳ５において、マークコマンドが入力されたと判定されるまで待機する。
【００６０】
そして、ステップＳ５において、マークコマンドが入力されたと判定されると、ステップＳ６に進み、マイクロプロセッサ２は、入力されたマークコマンドがｎ番目のIN点であるのか否かを判定し、入力されたマークコマンドがｎ番目のIN点であると判定した場合、ステップＳ７に進む。ステップＳ７において、マイクロプロセッサ２は、ステップＳ５の処理で入力されたｎ番目のプログラムのIN点をメモリ４に記憶させるとともに、ファインダLCDパネル１４に表示されているプログラムエディット画面の、ｎ番目のプログラムのIN点のマーク（いまの場合、マーク３３−１ａ）を青色で表示させる（図４）。その後、ステップＳ４に戻り、上述した処理を繰り返す。
【００６１】
ステップＳ６において、入力されたマークコマンドがｎ番目のIN点ではないと判定された場合、すなわち、入力されたマークコマンドがｎ番目のOUT点であると判定された場合、ステップＳ８に進み、マイクロプロセッサ２は、ステップＳ５の処理で入力されたｎ番目のプログラムのOUT点をメモリ４に記憶させるとともに、ファインダLCDパネル１４に表示されているプログラムエディット画面の、ｎ番目のプログラムのOUT点のマーク（いまの場合、マーク３３−１ｂ）を青色で表示させる（図５）。その後、ステップＳ４に戻り、上述した処理を繰り返す。
【００６２】
また、ステップＳ２において、プログラム設定モードではないと判定された場合、すなわち、既にプログラム情報が設定されている場合、ステップＳ９に進み、マイクロプロセッサ２は、ファインダLCDパネル１４に表示されているプログラムエディット画面の、プログラム情報設定済みのマーク３３を白色表示させる（図６）。このとき、マイクロプロセッサ２は、再生回路１１を制御し、記録媒体１０に記録されている映像データを読み出させ、AVケーブルを介してD-VHS１８に出力させる。
【００６３】
ステップＳ１０において、マイクロプロセッサ２は、メモリ４より読み出したプログラム情報に基づいて、ｎ番目のプログラムのIN点が到来したのか否かを判定し、ｎ番目のプログラムのIN点が到来していないと判定した場合、ステップＳ１０において、ｎ番目のプログラムのIN点が到来したと判定されるまで待機する。
【００６４】
そして、ステップＳ１０において、ｎ番目のプログラムのIN点が到来したと判定されると、ステップＳ１１に進み、マイクロプロセッサ２は、D-VHS１８に記録一時停止を解除させるコマンドを送り、D-VHSテープに映像データの記録を開始させるとともに、ファインダLCDパネル１４に表示されているプログラムエディット画面の、ｎ番目のプログラムのIN点のマーク（いまの場合、マーク３３−１ａ）を青色で表示させる（図７）。
【００６５】
ステップＳ１２において、マイクロプロセッサ２は、メモリ４より読み出したプログラム情報に基づいて、ｎ番目のプログラムのOUT点が到来したのか否かを判定し、ｎ番目のプログラムのOUT点が到来していないと判定した場合、ステップＳ１４において、ｎ番目のプログラムのOUT点が到来したと判定されるまで待機する。このとき、D-VHS１８の記録は継続されている。
【００６６】
そして、ステップＳ１２において、ｎ番目のプログラムのOUT点が到来したと判定されると、ステップＳ１３に進み、マイクロプロセッサ２は、D-VHS１８に記録を一時停止させるコマンドを送り、D-VHSテープへの再生データの記録を一時停止させるとともに、ファインダLCDパネル１４に表示されているプログラムエディット画面の、ｎ番目のプログラムのOUT点のマーク（いまの場合、マーク３３−１ｂ）を青色で表示させる（図８）。
【００６７】
ステップＳ１４において、マイクロプロセッサ２は、ファインダLCDパネル１４に表示されているプログラム設定済みのマーク３３（図８の例の場合、マーク３３−１ａ乃至３３−５ａ、およびマーク３３−１ｂ乃至３３−５ｂ）のうち、白色表示のマーク（図８の例の場合、マーク３３−２ａ乃至３３−５ａ、およびマーク３３−２ｂ乃至３３−５ｂ）がまだあるのか否かを判定し、白色表示のマークがまだあると判定した場合、ステップＳ１０に戻り、上述したそれ以降の処理を繰り返す。
【００６８】
ステップＳ１４において、白色表示のマークがないと判定された場合、ステップＳ１５に進み、マイクロプロセッサ２は、エディット処理を終了したと判定し、処理を終了させる。
【００６９】
以上のように、マイクロプロセッサ２は、ユーザにより設定されたプログラム情報をバッファに記憶するとともに、ファインダLCDパネル１４に、プログラムに対応するマーク３３を表示させるようにしたので、ユーザは、設定情報を短時間で把握することができ、かつ、表示されたマーク３３から、エディット処理（編集作業）を容易に行うことができる。
【００７０】
以上においては、プログラム情報が設定されたマーク３３を青色表示させ、編集作業が終了していないマーク３３を白色表示させるようにしたが、本発明はこれに限らず、その他の色を用いることも可能である。また、編集中のプログラムに対応するマークを点滅表示させたり、マークの形状を変えたりしてもよい。
【００７１】
また、以上においては、一度に設定可能なプログラムの数を２０としたが、この値は、ユーザにより、任意に設定させるようにしてもよい。
【００７２】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、記録媒体からインストールされる。
【００７３】
この記録媒体は、図１に示すように、コンピュータとは別に、ユーザにプログラムを提供するために配布される、プログラムが記録されている磁気ディスク１０１（フロッピディスクを含む）、光ディスク１０２（CD-ROM(Compact Disk-Read Only Memory),DVD(Digital Versatile Disk)を含む）、光磁気ディスク１０３（MD（Mini-Disk）を含む）、もしくは半導体メモリ１０４などよりなるパッケージメディアにより構成されるだけでなく、コンピュータに予め組み込まれた状態でユーザに提供される、プログラムが記録されているマイクロプロセッサ２や、ハードディスクドライブなどで構成される。
【００７４】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００７５】
【発明の効果】
以上のように、本発明の情報再生装置、画像表示制御方法、および記録媒体に記録されているプログラムによれば、ユーザは、容易に、映像データの編集作業を行うことができる。
【図面の簡単な説明】
【図１】本発明を適用したカメラ一体型のDVTRの構成例を示すブロック図である。
【図２】プログラムエディット画面を説明する図である。
【図３】他の例のプログラムエディット画面を説明する図である。
【図４】さらに他の例のプログラムエディット画面を説明する図である。
【図５】さらに他の例のプログラムエディット画面を説明する図である。
【図６】さらに他の例のプログラムエディット画面を説明する図である。
【図７】さらに他の例のプログラムエディット画面を説明する図である。
【図８】さらに他の例のプログラムエディット画面を説明する図である。
【図９】記録のずれを説明する図である。
【図１０】プログラム情報設定処理およびエディット処理を説明するフローチャートである。
【符号の説明】
１  入力部，  ２  マイクロプロセッサ，  ４  信号処理回路，５  IRコマンダ，  ６  オンスクリーンディスプレイ回路，  ７  ビデオカメラ，  ８  カメラ信号処理回路，  ９  記録回路，  １０  記録媒体，  １１  再生回路，  １４  ファインダLCDパネル，  １８  D-VHS，  ３３  マーク
【図１】
0004168307.tif 000002
【図２】
0004168307.tif 000003
【図３】
0004168307.tif 000004
【図４】
0004168307.tif 000005
【図５】
0004168307.tif 000006
【図６】
0004168307.tif 000007
【図７】
0004168307.tif 000008
【図８】
0004168307.tif 000009
【図９】
0004168307.tif 000010
【図１０】
0004168307.tif 000011